(57)【要約】【課題】微弱光の検出において問題となっている迷光によるノイズ低減と、暗室での顕微鏡の操作性とを両立させた顕微鏡システム、顕微鏡システムの制御方法及び顕微鏡システムの制御プログラムを提供すること。【解決手段】本発明にかかる顕微鏡システム１００は、標本ＳＰの光を結像した標本像を観察する顕微鏡システムであって、発する光の波長帯域が可変であるバックライト１１を有する表示部１０と、標本ＳＰに関する情報に基づいて、標本ＳＰが発する観察対象の光の波長帯域以外の波長成分の光を表示部１０のバックライト１１から出力させる制御部８と、を備える。【選択図】図１
2017044971.tif 000002
【特許請求の範囲】
【請求項１】
標本からの光を結像した標本像を観察する顕微鏡システムであって、
発する光の波長帯域が可変である発光部と、
前記標本に関する情報に基づいて、前記標本が発する観察対象の光の波長帯域以外の波長成分の光を前記発光部から出力させる制御部と、
を備えることを特徴とする顕微鏡システム。
【請求項２】
前記発光部は、表示部のバックライトであり、
前記制御部は、前記標本が発する観察対象の光の波長帯域以外の波長成分の光を前記バックライトに発光させることを特徴とする請求項１に記載の顕微鏡システム。
【請求項３】
前記発光部は、表示部であり、
前記制御部は、前記標本が発する観察対象の光の波長帯域以外の波長成分の光を用いて表示画像のデザインを生成するデザイン生成部を備え、
前記制御部は、前記デザイン生成部が生成したデザインの表示画像を前記表示部に表示させることを特徴とする請求項１に記載の顕微鏡システム。
【請求項４】
前記発光部は、
白色光源と、
互いに異なる波長帯域の波長を透過する複数のフィルタと、
前記複数のフィルタを移動可能に搭載し、前記白色光源が発する白色光の光路上に前記複数のフィルタのいずれか一つを配置するフィルタ切替装置と、
を有し、
前記制御部は、前記フィルタ切替装置に対し、前記白色光源が発する白色光の光路上に、前記標本が発する観察対象の光の波長帯域以外の波長成分の光を透過するフィルタを配置させることを特徴とする請求項１に記載の顕微鏡システム。
【請求項５】
前記発光部は、フルカラーＬＥＤであり、
前記制御部は、前記標本が発する観察対象の光の波長帯域以外の波長成分の光を前記フルカラーＬＥＤに発光させることを特徴とする請求項１に記載の顕微鏡システム。
【請求項６】
前記標本に光を照射する落射光源部と、
光路に位置した場合に前記落射光源部による光のうち特定の波長帯域の励起光を前記標本に反射するとともに前記標本からの蛍光のみを透過させるミラーユニットと、
互いに異なる波長帯域の蛍光に対応する複数の前記ミラーユニットを搭載し、光路上に一つの前記ミラーユニットを配置可能なミラーターレットと、
前記光路に位置する前記ミラーユニットを検出する検出部と、
を備え、
前記制御部は、前記検出部が検出した前記光路に位置するミラーユニットに応じた蛍光の波長帯域以外の波長成分の光を前記発光部から出力させることを特徴とする請求項１〜５のいずれか一つに記載の顕微鏡システム。
【請求項７】
前記ミラーユニットの識別情報と、前記ミラーユニットが透過する蛍光の波長帯域と、前記蛍光の波長帯域以外の波長成分のうち前記発光部から出力させる光の波長成分と、を前記ミラーユニットごとに対応付けて記憶する記憶部をさらに備え、
前記制御部は、前記記憶部から、前記検出部が検出した前記光路に位置するミラーユニットに対応する前記発光部から出力させる光の波長成分を読み出し、該読み出した波長帯域の光を前記発光部から出力させることを特徴とする請求項６に記載の顕微鏡システム。
【請求項８】
標本からの光をもとに結像された標本像を観察する顕微鏡システムの制御方法であって、
前記標本に関する情報に基づいて、発する光の波長帯域が可変である発光部に、前記標本が発する観察対象の光の波長帯域以外の波長成分の光を出力させる制御処理を含むことを特徴とする顕微鏡システムの制御方法。
【請求項９】
標本からの光をもとに結像された標本像を観察する顕微鏡システムに、
発する光の波長帯域が可変である発光部に対し、前記標本に関する情報に基づいて、前記標本が発する観察対象の光の波長帯域以外の波長成分の光を出力させる制御手順を実行させることを特徴とする顕微鏡システムの制御プログラム。
【発明の詳細な説明】
【技術分野】
【０００１】
本発明は、標本に照明光を照射して該標本からの光をもとに結像された標本像を観察する顕微鏡システム、顕微鏡システムの制御方法及び顕微鏡システムの制御プログラムに関する。
【背景技術】
【０００２】
暗室内で、蛍光などの微弱な光の測定や、その発光位置の分布を示す画像の撮像を行う機能を備えた顕微鏡が使用されている。暗室内には、撮像した画像確認のためやデータ処理のための端末装置及びディスプレイが設置されている。しかしながら、暗室内ではディスプレイからの光が迷光として対物レンズに入り、微弱な光を良好に観察できない。
【０００３】
ディスプレイにおける画像表示領域とその他の背景領域のうち、背景領域にマスクをかけることによって、ディスプレイからの光を低減する技術が提案されている（例えば、特許文献１参照）。これにより、蛍光観察などの微弱な光を検出する顕微鏡観察において問題となっていたディスプレイからの迷光を低減している。
【先行技術文献】
【特許文献】
【０００４】
【特許文献１】特開２００９−２５１４５４号公報
【発明の概要】
【発明が解決しようとする課題】
【０００５】
しかしながら、特許文献１記載の技術では、画像表示領域からの光はマスク処理されないため、ディスプレイからの迷光を完全に防ぐことはできない。また、背景領域では、通常の状態と比較して表示できる情報量が限られるため、操作者が顕微鏡の状態を確認することが困難となり、顕微鏡の操作性が低下する。
【０００６】
本発明は、上記に鑑みてなされたものであって、微弱光の検出において問題となっている迷光によるノイズ低減と、暗室での顕微鏡の操作性とを両立させた顕微鏡システム、顕微鏡システムの制御方法及び顕微鏡システムの制御プログラムを提供することを目的とする。
【課題を解決するための手段】
【０００７】
上述した課題を解決し、目的を達成するために、本発明に係る顕微鏡システムは、標本からの光を結像した標本像を観察する顕微鏡システムであって、発する光の波長帯域が可変である発光部と、前記標本に関する情報に基づいて、前記標本が発する観察対象の光の波長帯域以外の波長成分の光を前記発光部から出力させる制御部と、を備えることを特徴とする。
【０００８】
また、本発明に係る顕微鏡システムは、前記発光部は、表示部のバックライトであり、前記制御部は、前記標本が発する観察対象の光の波長帯域以外の波長成分の光を前記バックライトに発光させることを特徴とする。
【０００９】
また、本発明に係る顕微鏡システムは、前記発光部は、表示部であり、前記制御部は、前記標本が発する観察対象の光の波長帯域以外の波長成分の光を用いて表示画像のデザインを生成するデザイン生成部を備え、前記制御部は、前記デザイン生成部が生成したデザインの表示画像を前記表示部に表示させることを特徴とする。
【００１０】
また、本発明に係る顕微鏡システムは、前記発光部は、白色光源と、互いに異なる波長帯域の波長を透過する複数のフィルタと、前記複数のフィルタを移動可能に搭載し、前記白色光源が発する白色光の光路上に前記複数のフィルタのいずれか一つを配置するフィルタ切替装置と、を有し、前記制御部は、前記フィルタ切替装置に対し、前記白色光源が発する白色光の光路上に、前記標本が発する観察対象の光の波長帯域以外の波長成分の光を透過するフィルタを配置させることを特徴とする。
【００１１】
また、本発明に係る顕微鏡システムは、前記発光部は、フルカラーＬＥＤであり、前記制御部は、前記標本が発する観察対象の光の波長帯域以外の波長成分の光を前記フルカラーＬＥＤに発光させることを特徴とする。
【００１２】
また、本発明に係る顕微鏡システムは、前記標本に光を照射する落射光源部と、光路に位置した場合に前記落射光源部による光のうち特定の波長帯域の励起光を前記標本に反射するとともに前記標本からの蛍光のみを透過させるミラーユニットと、互いに異なる波長帯域の蛍光に対応する複数の前記ミラーユニットを搭載し、光路上に一つの前記ミラーユニットを配置可能なミラーターレットと、前記光路に位置する前記ミラーユニットを検出する検出部と、を備え、前記制御部は、前記検出部が検出した前記光路に位置するミラーユニットに応じた蛍光の波長帯域以外の波長成分の光を前記発光部から出力させることを特徴とする。
【００１３】
また、本発明に係る顕微鏡システムは、前記ミラーユニットの識別情報と、前記ミラーユニットが透過する蛍光の波長帯域と、前記蛍光の波長帯域以外の波長成分のうち前記発光部から出力させる光の波長成分と、を前記ミラーユニットごとに対応付けて記憶する記憶部をさらに備え、前記制御部は、前記記憶部から、前記検出部が検出した前記光路に位置するミラーユニットに対応する前記発光部から出力させる光の波長成分を読み出し、該読み出した波長帯域の光を前記発光部から出力させることを特徴とする。
【００１４】
また、本発明に係る顕微鏡システムの制御方法は、標本からの光をもとに結像された標本像を観察する顕微鏡システムの制御方法であって、前記標本に関する情報に基づいて、発する光の波長帯域が可変である発光部に、前記標本が発する観察対象の光の波長帯域以外の波長成分の光を出力させる制御処理を含むことを特徴とする。
【００１５】
また、本発明に係る顕微鏡システムの制御プログラムは、標本からの光をもとに結像された標本像を観察する顕微鏡システムに、発する光の波長帯域が可変である発光部に対し、前記標本に関する情報に基づいて、前記標本が発する観察対象の光の波長帯域以外の波長成分の光を出力させる制御手順を実行させることを特徴とする。
【発明の効果】
【００１６】
本発明によれば、標本に関する情報に基づいて、標本が発する観察対象の光の波長帯域以外の波長成分の光を発光部から出力させることによって、微弱光の検出において問題となっている迷光によるノイズ低減と、暗室での顕微鏡の操作性とを両立させることができる。
【図面の簡単な説明】
【００１７】
【図１】図１は、本発明の実施の形態１にかかる顕微鏡システムの概略構成を示す図である。
【図２】図２は、図１に示す記憶部が記憶するテーブルの一例を示す図である。
【図３】図３は、図１の顕微鏡システムの表示部のバックライト色に対する制御動作の処理手順を示す図である。
【図４】図４は、実施の形態２に係る顕微鏡システムの概略構成を示す図である。
【図５】図５は、図４の顕微鏡システムの表示画像のデザインに対する制御動作の処理手順を示す図である。
【図６】図６は、実施の形態３にかかる顕微鏡システムの概略構成を示す図である。
【図７】図７は、図６の顕微鏡システムの表示画像のデザインに対する制御動作の処理手順を示す図である。
【図８】図８は、実施の形態３の変形例に係る顕微鏡システムの概略構成を示す図である。
【発明を実施するための形態】
【００１８】
以下、図面を参照して、本発明を実施するための形態（以下、「実施の形態」という）について説明する。なお、以下に説明する実施の形態によって、本発明が限定されるものではない。また、以下の説明において参照する各図は、本発明の内容を理解でき得る程度に形状、大きさ、および位置関係を概略的に示してあるに過ぎない。即ち、本発明は、各図で例示された形状、大きさ、および位置関係のみに限定されるものではない。
【００１９】
（実施の形態１）
図１は、本発明の実施の形態１にかかる顕微鏡システムの概略構成を示す図である。顕微鏡システム１００は、顕微鏡本体部１と、励起光の照射によって蛍光を発する標本ＳＰを載置するステージ１ａ、標本ＳＰに光を照射する光源部２、複数のミラーユニット３ａを搭載したミラーターレット３、ステージ１ａに対向して配置された対物レンズ４ａ、標本ＳＰが発した蛍光を撮像装置５に導くミラー４ｂ、標本ＳＰが発した蛍光を撮像する撮像装置５、ミラーユニット位置検出装置６、顕微鏡システム１００の駆動を制御するコントローラ７、及び、撮像装置５が生成した画像データに対応する画像や、照明光の設定状態を表示する表示部１０（発光部）を備える。なお、顕微鏡システム１は、図示しない操作部を備え、標本ＳＰに照射する照明光の設定等の指示情報の入力を受け付ける。
【００２０】
光源部２は、光を照射する落射光源２ａと、落射光源２ａが発した光を集光する集光レンズ２ｂとを有する。光源部２から出射された光は、図示しない光学系によって、光路Ｌ上に位置するミラーユニット３ａ表面まで導かれる。
【００２１】
ミラーターレット３は、互いに異なる波長帯域の蛍光に対応する複数のミラーユニット３ａを搭載する。ミラーユニット３ａには、所定の波長帯域の光のみを透過するフィルタが設けられる。ミラーユニット３ａは、第１の波長帯域の光が入射した場合には、該第１の波長帯域の光を反射するとともに、第２の波長帯域の光が入射した場合には、該第２の波長帯域の光を透過する。ミラーユニット３ａは、光路Ｌ上に位置した場合、落射光源２ａによる光のうち第１の波長帯域の光を標本ＳＰに反射し、標本ＳＰが発した第２の波長帯域の光のみを透過させる。第１の波長帯域は標本ＳＰの励起光であり、第２の波長帯域は標本ＳＰが発する蛍光である。各ミラーユニット３ａは、それぞれ異なる波長帯域の蛍光に対応する。光路Ｌに位置するミラーユニット３ａは、標本ＳＰの励起光を標本ＳＰに反射する。励起光の照射によって標本ＳＰが発した蛍光は、光路Ｌに配置するミラーユニット３ａを透過し、ミラー４ｂで反射することで撮像装置５へと導かれる。
【００２２】
ミラーターレット３は、モータ等によって回転可能であり、回転することによって、搭載した各ミラーユニット３ａの位置を変更可能であり、一つのミラーユニット３ａを光路Ｌ上に配置可能である。ミラーターレット３は、光路Ｌに位置するミラーユニット３ａを観察対象の蛍光の波長帯域に応じたミラーユニット３ａに交換する。
【００２３】
ミラーユニット位置検出装置６は、ミラーターレット３の回転方向の変位を検出することによって、光路Ｌに位置するミラーユニット３ａを検出し、検出結果をコントローラ７に出力する。
【００２４】
コントローラ７は、制御部８と記憶部９とを備える。制御部８は、顕微鏡システム１００の駆動を制御する。制御部８は、後述する表示部１０に、標本ＳＰに関する情報に基づいて、標本ＳＰが発する観察対象の蛍光の波長帯域以外の波長成分の光を出力させる。制御部８は、ミラーユニット位置検出装置６が検出した光路Ｌに位置するミラーユニット３ａに応じた蛍光の波長帯域以外の波長成分の光を表示部１０から出力させる。
【００２５】
記憶部９は、制御部８が各種動作を実行するための実行プログラム、制御プログラム及び顕微鏡システム１００の動作に関する各種情報を記憶する。図２は、記憶部９が記憶するテーブルの一例である。図２に例示するテーブルＴ１のように、ミラーユニット３ａの識別情報と、ミラーユニット３ａに対応する蛍光の波長帯域と、蛍光の波長帯域以外の波長成分のうち、後述の表示部１０のバックライト１１（発光部）から出力させる光の波長λとが、ミラーユニット３ａごとに対応付けられている。制御部８は、ミラーユニット位置検出装置６の検出結果を基に、光路Ｌに位置するミラーユニット３ａに対応する、表示部１０からの出力光の波長λを記憶部９のテーブルＴ１から読み出し、該読み出した波長λの光をバックライト１１から出力させる。具体的には、制御部８は、光路Ｌに位置するミラーユニット３ａに対応する波長λの光が、バックライト１１から出力されるようにバックライト色の変更命令を送信する。
【００２６】
表示部１０は、発する光の波長帯域が可変であるバックライト１１を搭載するとともに、バックライトの発光動作を制御するバックライト制御部１２を有する。バックライト制御部１２は、制御部８からのバックライト色の変更命令に応じてバックライト１１の発光色を波長λの光に対応するように変更する。
【００２７】
次に、顕微鏡システム１００の表示部１０のバックライト色に対する制御動作について説明する。図３は、顕微鏡システム１００の表示部のバックライト色に対する制御動作の処理手順を示す図である。蛍光観察が開始されると、制御部８は、ミラーユニット位置検出装置６に、現に光路Ｌにいずれのミラーユニット３ａが位置しているかを問い合わせ、光路Ｌに現に位置するミラーユニット３ａの種別を示すミラーユニット位置情報を取得する（ステップＳ１）。
【００２８】
制御部８は、ステップＳ１において取得したミラーユニット位置情報を基に、記憶部９のテーブルＴ１を参照し、現に光路Ｌに位置するミラーユニットの種別に対応する出力光の波長λを出力光情報として取得する（ステップＳ２）。
【００２９】
制御部８は、バックライト制御部１２に対し、波長λの光がバックライト１１から出力されるようにバックライト１１の発光色の変更命令を送信し、表示部１０のバックライト１１の発光色を変更させる（ステップＳ３）。これによって、標本ＳＰが発する観察対象の蛍光の波長帯域以外の波長成分の光がバックライト１１から発光される。
【００３０】
制御部８は、操作部（不図示）等による指示情報を基に、蛍光観察の終了が指示されたか否かを判断する（ステップＳ４）。制御部８は、蛍光観察の終了が指示されていないと判断した場合（ステップＳ４：Ｎｏ）、ミラーユニット位置検出装置６との間で通信を行い、光路Ｌに位置するミラーユニット３ａが変更されたか否かを判断する（ステップＳ５）。制御部８は、光路Ｌに位置するミラーユニット３ａが変更されたと判断した場合（ステップＳ５：Ｙｅｓ）、ステップＳ１に戻り、光路Ｌに新たに位置したミラーユニット３ａに対して、バックライト色の変更に関する処理を再度行う。制御部８は、光路Ｌに位置するミラーユニット３ａが変更されていないと判断した場合（ステップＳ５：Ｎｏ）、ステップＳ４に戻り、蛍光終了に対して判断する。
【００３１】
制御部８は、蛍光観察の終了が指示されたと判断した場合（ステップＳ４：Ｙｅｓ）、表示部１０のバックライト１１の発光色を元の色に戻すように、バックライト制御部１２に、バックライト１１の発光色の変更命令を送信する。これによって、バックライト制御部１２が、バックライト１１の発光色を元の色に戻し（ステップＳ６）、蛍光観察を終了する。
【００３２】
このように、実施の形態１によれば、表示部１０のバックライト１１の発光色を、観察状況に応じて自動的に、標本ＳＰが発する観察対象の蛍光の波長帯域以外の波長成分の光に対応する色に変更する。このため、実施の形態１によれば、表示部１０のバックライト１１から出力された光がミラーユニット３ａを透過することもないため、迷光となることもなく、撮像装置５での撮影画像にも影響を及ぼさない。また、実施の形態１によれば、表示部１０のバックライト１１の発光色を変えたのみであるため、表示できる情報量が低減することもなく、操作者による顕微鏡の状態確認や顕微鏡の操作も十分に実行可能である。
【００３３】
（実施の形態２）
次に、実施の形態２について説明する。図４は、本発明の実施の形態２に係る顕微鏡システムの概略構成を示す図である。図４に示すように、実施の形態２に係る顕微鏡システム２００は、顕微鏡システム１００と比して、制御部２０８及び表示画像デザイン作成部２０９を有するコントローラ２０７と、液晶表示部２１１及び表示制御部２１２を有する表示部２１０（発光部）と、を備える。
【００３４】
制御部２０８は、ミラーユニット位置検出装置６の検出結果を基に、光路Ｌに位置するミラーユニット３ａに対応する、表示部２１０からの出力光の波長λを記憶部９のテーブルＴ１から読み出し、該読み出した出力光の波長λを示す出力光情報を表示画像デザイン作成部２０９に出力する。
【００３５】
表示画像デザイン作成部２０９は、出力光情報を基に、表示部２１０に表示される表示画像のデザインを、光路Ｌに位置するミラーユニット３ａに対応する波長のλの光を用いた表示画像のデザインに変更し、表示画像のデザインの変更命令を表示部２１０に出力する。
【００３６】
表示部２１０では、表示制御部２１２が、表示画像デザイン作成部２０９から入力された変更命令に従い、変更したデザインの表示画像を液晶表示部２１１に表示させる。
【００３７】
次に、顕微鏡システム２００の表示部２１０の表示画像のデザインに対する制御動作について説明する。図５は、顕微鏡システム２００の表示画像のデザインに対する制御動作の処理手順を示す図である。図５に示すステップＳ１１及びステップＳ１２は、図３に示すステップＳ１及びステップＳ２である。表示画像デザイン作成部２０９は、制御部２０８から入力された出力光情報を基に、表示部２１０に表示される表示画像のデザインを、光路Ｌに位置するミラーユニット３ａに対応する波長λの光を用いたデザインに変更し（ステップＳ１３）、表示画像のデザインの変更命令を表示部２１０に出力する。この表示画像のデザインの変更命令に従い、表示部２１０では、表示制御部２１２が、変更したデザインの表示画像を液晶表示部２１１に表示させる。ステップＳ１４及びステップＳ１５は、図３に示すステップＳ４及びステップＳ５である。制御部２０８は、蛍光観察の終了が指示されたと判断した場合（ステップＳ１４：Ｙｅｓ）、表示部２１０の表示画像のデザインを元のデザインに戻すことを命じた命令を、表示制御部２１２に送信する。これによって、表示制御部２１２が、液晶表示部２１１における表示画像のデザインを基に戻し（ステップＳ１６）、蛍光観察を終了する。
【００３８】
この実施の形態２のように、ハードウェアの制約でバックライト色を変更できない場合であっても、表示部２１０の表示画像のデザインを、標本ＳＰが発する観察対象の蛍光の波長帯域以外の波長成分の光に対応する色を使用するデザインに変更するソフトウェア処理を行うことによって、実施の形態１と同様の効果を奏することが可能になる。
【００３９】
（実施の形態３）
次に、実施の形態３について説明する。図６は、本発明の実施の形態３にかかる顕微鏡システムの概略構成を示す図である。
【００４０】
図６に示すように、実施の形態３に係る顕微鏡システム３００は、顕微鏡システム１００と比して、発光部として、蛍光観察を行う環境の作業灯としての白色光源３１４と、互いに異なる波長帯域の光を透過する複数のフィルタ３１５を搭載したフィルタ切替装置３１６と、フィルタ切替装置３１６の切り替え制御を行うフィルタ切替制御部３１７と、を備える。コントローラ３０７は、顕微鏡システム３００の駆動を制御する制御部３０８を備える。
【００４１】
フィルタ３１５は、各ミラーユニット３ａに対応しており、それぞれ対応するミラーユニット３ａが透過する蛍光の波長帯域以外の所定の波長成分の光のみを透過させる。フィルタ３１５は、それぞれ対応するミラーユニット３ａの種別に応じて、テーブルＴ１に示す出力光波長λ以外の波長の光を遮断する。
【００４２】
フィルタ切替装置３１６は、複数のフィルタ３１５を移動可能に搭載し、白色光源３１４が発する白色光の光路上に複数のフィルタ３１５のいずれか一つを配置する。フィルタ切替装置は、例えばモータ等によって回転可能であり、回転することによって、搭載したフィルタ３１５の位置を変更可能である。フィルタ切替制御部３１７は、フィルタ切替装置３１６の回転動作を制御することによって、白色光源３１４が発する白色光の光路上に配置するフィルタ３１５の切り替えを制御する。
【００４３】
制御部３０８は、フィルタ切替制御部３１７を介して、フィルタ切替装置３１６に対し、白色光源３１４が発する白色光の光路上に、標本ＳＰが発する観察対象の蛍光の波長帯域以外の波長成分の光を透過するフィルタ３１５を配置させる。
【００４４】
図７は、顕微鏡システム３００の表示画像のデザインに対する制御動作の処理手順を示す図である。図７に示すステップＳ２１およびステップＳ２２は、図３に示すステップＳ１及びステップＳ２である。すなわち、制御部３０８は、ミラーユニット位置検出装置６の検出結果を基に、光路Ｌに位置するミラーユニット３ａに対応する、発光部からの出力光の波長λを記憶部９のテーブルＴ１から読み出す。制御部３０８は、白色光源３１４が発する白色光の光路に位置するフィルタ３１５を、読み出した出力光の波長λを透過するフィルタ３１５に切り替えさせる切替命令をフィルタ切替制御部３１７に出力する。これによって、フィルタ切替制御部３１７は、フィルタ切替装置３１６のフィルタ切替動作を制御し、白色光の光路上に位置するフィルタ３１５を、標本ＳＰが発する観察対象の蛍光の波長帯域以外の波長成分の光を透過するフィルタ３１５に切り替える（ステップＳ２３）。ステップＳ２４及びステップＳ２５は、図３に示すステップＳ４及びステップＳ５である。制御部３０８は、蛍光観察の終了が指示されたと判断した場合（ステップＳ２４：Ｙｅｓ）、白色光源３１４の白色光の光路から、フィルタ３１５を外すことを命じた命令を、フィルタ切替制御部３１７に送信する。これによって、フィルタ切替制御部３１７が、フィルタ切替装置３１６を制御し、白色光源３１４の白色光の光路から、フィルタ３１５を外し（ステップＳ２６）、蛍光観察を終了する。
【００４５】
この実施の形態３では、観察状況に応じて自動的に、標本ＳＰが発する観察対象の蛍光の波長帯域以外の波長成分の光で観察環境を照明することができるため、観察中、部屋を暗室状態にせずともよくなり、観察における操作性をさらに向上させることができる。
【００４６】
（実施の形態３の変形例）
図８は、実施の形態３の変形例に係る顕微鏡システムの概略構成を示す図である。図８に示すように、実施の形態３の変形例に係る顕微鏡システム４００は、顕微鏡システム３００と比して、発光部として、発する光の波長帯域が可変であるフルカラーＬＥＤ４１８及びフルカラーＬＥＤ４１８の制御を行うフルカラーＬＥＤ制御部４１９を有する。コントローラ４０７は、制御部３０８と同様の機能を有する制御部４０８を有する。制御部４０８は、フルカラーＬＥＤ制御部４１９を介して、フルカラーＬＥＤ４１８に、標本ＳＰが発する観察対象の蛍光の波長帯域以外の波長成分の光を発光させる。制御部４０８は、ミラーユニット位置検出装置６の検出結果を基に、光路Ｌに位置するミラーユニット３ａに対応するフルカラーＬＥＤ４１８の出力光の波長λを記憶部９のテーブルＴ１から読み出す。制御部４０８は、読み出した波長λの光を発光させる発光命令をフルカラーＬＥＤ制御部４１９に出力する。これによって、フルカラーＬＥＤ制御部４１９は、フルカラーＬＥＤ４１８に、標本ＳＰが発する観察対象の蛍光の波長帯域以外の波長である波長λの光を発光させる。
【００４７】
この実施の形態３の変形例のように、白色光源の代わりにフルカラーＬＥＤ４１８を使用し、制御部４０８の命令に従い、標本ＳＰが発する観察対象の蛍光の波長帯域以外の波長λの光を発光させても、実施の形態３と同様の効果を奏する。
【００４８】
なお、制御部８，２０８，３０８，４０８は、蛍光観察中、顕微鏡本体部１に設けられたスイッチの切替状態を示すランプやコントローラ７，２０７，３０７，４０７のパネルランプ等の発光色を、標本ＳＰが発する観察対象の蛍光の波長帯域以外の波長成分の光に対応する色に変更してもよい。また、制御部８，２０８，３０８，４０８は、蛍光観察中、各発光部の光量を、蛍光観察時以外の場合の光量よりも低くする制御を行ってもよい。また、顕微鏡システム１００，２００，３００，４００は、蛍光に限らず、標本ＳＰが発する光を観察するためのものであってもよい。
【００４９】
本実施の形態１〜３にかかる顕微鏡システム１００，２００，３００，４００の構成部で実行される各処理に対するプログラムは、インストール可能な形式又は実行可能な形式のファイルでＣＤ−ＲＯＭ、フレキシブルディスク、ＣＤ−Ｒ、ＤＶＤ等のコンピュータで読み取り可能な記録媒体に記録して提供するように構成してもよく、インターネット等のネットワークに接続されたコンピュータ上に格納し、ネットワーク経由でダウンロードさせることにより提供するように構成してもよい。また、インターネット等のネットワーク経由で提供または配布するように構成してもよい。
【符号の説明】
【００５０】
１  顕微鏡本体部
１ａ  ステージ
２  光源部
２ａ  落射光源
２ｂ  集光レンズ
３  ミラーターレット
３ａ  ミラーユニット
４ａ  対物レンズ
４ｂ  ミラー
５  撮像装置
６  ミラーユニット位置検出装置
７，２０７，３０７，４０７  コントローラ
８，２０８，３０８，４０８  制御部
９  記憶部
１０，２１０  表示部
１１  バックライト
１２  バックライト制御部
１００，２００，３００，４００  顕微鏡システム
２０９  表示画像デザイン作成部
２１１  液晶表示部
２１２  表示制御部
３１４  白色光源
３１５  フィルタ
３１６  フィルタ切替装置
３１７  フィルタ切替制御部
４１８  フルカラーＬＥＤ
４１９  フルカラーＬＥＤ制御部
【図１】
2017044971.tif 000003
【図２】
2017044971.tif 000004
【図３】
2017044971.tif 000005
【図４】
2017044971.tif 000006
【図５】
2017044971.tif 000007
【図６】
2017044971.tif 000008
【図７】
2017044971.tif 000009
【図８】
2017044971.tif 000010